(57)【特許請求の範囲】
【請求項１】
建物の被固定面に取り付けられる取付部と、軒樋を支持する支持部とを備えた軒樋支持具を前記被固定面に間接的に取り付けるための軒樋支持具用固定具であって、この固定具は少なくとも上方に開口した嵌挿溝を有し、この嵌挿溝の内面形状は前記軒樋支持具の取付部の外面形状にほぼ符合した形状とされ、上下方向のほぼ中央部の嵌挿溝を除いた両側部に通孔が設けられ、かつ、この通孔よりも下方に、前記軒樋支持具の取付部の下方通孔に対応した通孔が設けられていることを特徴とする軒樋支持具用固定具。
【発明の詳細な説明】
【０００１】
【発明の属する技術分野】
本発明は軒樋支持具を建物の壁や鼻隠し板などの被固定面に取り付ける際に使用する固定具に関する。
【０００２】
【従来の技術】
従来、軒樋支持具には吊り具タイプや受け具タイプなどの種々のものがある。これらの共通する点は、建物の被固定面に取り付けられる取付部と、この取付部の前面に突設された支持腕とを備えた軒樋支持具の取付部を建物の軒先に釘やビスなどの固着具にて取り付け、支持腕に軒樋の両耳部を支持させて使用するものである。
【０００３】
例えば実開昭６３−１８７６４０号公報においては、軒先固定具が吊り金具主体の上方に位置するように取り付けられた固定板と該吊り金具主体の下方に向かいかつ建屋側端部が該固定板の面の延長線上に位置するように取り付けられた補強片とからなることを特徴とする面打ち用樋吊金具が記載されている。
【０００４】
また、実公平３−２１５６２号公報においては、鼻隠し板に取り付けられる固定板から軒先側に支持腕が突設され、この支持腕の前端側に軒樋の前方耳部を支持する前端側支持構造が設けられ、一方、支持腕の後端側に軒樋の後方耳部を支持する後端側支持構造が設けられ、この後端側支持構造が前記固定板の前方に設けられた耳受部と、前記支持腕から固定板側にやや斜め上方に傾斜して設けられたバネ板とから形成された合成樹脂製の軒樋吊具が記載されている。
【０００５】
さらに、実公平５−３２５７３号公報においては、被取付面に取り付けられる取付部と、軒樋を支持する支持部とを備え、前記取付部および支持部が透明な樹脂材料で一体成形された軒樋支持具が記載されている。
【０００６】
【発明が解決しようとする課題】
上記公報に記載の軒樋吊具を含む一般的なものは、水切り板および屋根材を施工したのちに鼻隠し板に軒樋吊具を取り付ける。このため、鼻隠し板に釘あるいはビスを使用して直接軒樋吊具を固定する場合、水切り板が邪魔となって釘打ち込み作業の妨げとなり、この結果、取付部の上方釘穴に釘を打ち込むことができなかった。また、軒樋吊具が下方に取り付けられることにより、軒樋の吊り下げ位置が下方となり、軒先の美観が損なわれるという問題もあった。
【０００７】
本発明は上記従来の問題を解消しようとするものであり、その目的とするところは、軒樋支持具の取付位置を上方にすることができ、そのため軒先の美観は損なわれず、しかも、取付部の上下方向の動きを規制することができる軒樋支持具用固定具を提供することである。
【０００８】
【課題を解決するための手段】
請求項１記載の本発明の軒樋支持具用固定具は、建物の被固定面に取り付けられる取付部と、軒樋を支持する支持部とを備えた軒樋支持具を前記被固定面に間接的に取り付けるための軒樋支持具用固定具であって、この固定具は少なくとも上方に開口した嵌挿溝を有し、この嵌挿溝の内面形状は前記軒樋支持具の取付部の外面形状にほぼ符合した形状とされ、上下方向のほぼ中央部の嵌挿溝を除いた両側部に通孔が設けられ、かつ、この通孔よりも下方に、前記軒樋支持具の取付部の下方通孔に対応した通孔が設けられているものである。
【０００９】
（作用）
固定具の上下方向のほぼ中央部の嵌挿溝を除いた両側部に設けられた通孔を利用して、固定具を建物の被固定面の上方位置に釘やビスなどの固着具にて固定することができる。また、固定具は上方に開口し、しかも、その内面形状が取付部の外面形状に符合した形状とされた嵌挿溝を有しているので、被固定面に固定した固定具の前記嵌挿溝内に、軒樋支持具の取付部を上方から差し込んで嵌挿することができる。さらに、上記中央部の通孔よりも下方に、取付部の下方通孔に対応して設けられた通孔を利用して、取付部を固定具とともに建物の被固定面に釘やビスなどの固着具にて固定することができる。
【００１０】
【発明の実施の形態】
以下、本発明の軒樋支持具用固定具の実施の形態を図面に基づいて説明する。図１（ａ）〜（ｃ）は本発明の軒樋吊具用固定具の一実施例を示すものであり、（ａ）は正面図、（ｂ）は平面図、（ｃ）は右側面図である。図２は軒樋吊具を図１の固定具に差し込んで取り付ける状態を示す説明図、図３は図２のＸ−Ｘ線における拡大断面図、図４は鼻隠し板に図１の固定具と軒樋吊具を取り付けた状態を示す説明図、図５は図４において軒樋の支持状態を示す説明図である。
【００１１】
図１において、１はポリカーボネート樹脂製の軒樋吊具用固定具であり、この固定具１は横長矩形状の板状のものである。固定具１の厚み方向のほぼ中央には所定寸法の嵌挿溝１０が上下方向に開口して形成されている。この嵌挿溝１０の奥行き、上下長さおよび左右横幅は後述の軒樋吊具の取付部の寸法にほぼ対応した寸法とされている。すなわち、嵌挿溝１０の内面形状は前記取付部の外面形状にほぼ符合した形状とされている。つまり、嵌挿溝１０の正面視形状は、図１（ａ）に示すように、取付部の形状に符合した逆五角形状とされている。固定具１の前面側は上下・左右に幅広の逆Ｔ字状に切り欠かれて開口されている。
【００１２】
固定具１の上下方向のほぼ中央部の嵌挿溝１０の両側部１１、１１は、嵌挿溝１０より少し段差が付けられて高くされている。この両側部１１には通孔である釘孔１２、１２が形成されている。嵌挿溝１０の上部前面側には係止片１３、１３が設けられている。この係止片１３は嵌挿溝１０内に嵌挿された取付部が前方に倒れて外れるのを防止する機能を有しており、係止片１３、１３間の間隔は、後述の軒樋吊具を嵌挿溝１０に上方から挿入する際、取付部の前面に設けられた受部が引っ掛かって邪魔にならない間隔とされている。嵌挿溝１０の下部前面側には係止片１４が設けられており、嵌挿溝１０内に嵌挿された取付部の下部が係止されるようにされている。この係止片１４のほぼ中央には通孔である釘孔１５が前後方向に貫通して設けられている。
【００１３】
図２において、２はポリカーボネート樹脂製の軒樋吊具であり、この軒樋吊具２は取付部２０と支持部３０とから構成されている。取付部２０は、図３に示すように、逆五角形状の板状体であり、その下部前面には受部２１が突設され、外周縁には３個の通孔２２、２２、２３が設けられ、釘などの固着具にて建物の壁や鼻隠し板などの被固定面に取り付けられるようになっている。なお、通孔２２、２２は上部左右に、通孔２３は下部にそれぞれ設けられている。通孔２３の位置は、取付部２０を上記固定具１の嵌挿溝１０内に嵌挿した時に、通孔１５と対応するようにされている。
【００１４】
図３に示すように、支持部３０は断面形状がＩ字形状のものであり、取付部２０前面の受部２１より所定距離上方に離れた位置から屋外側に一体に突設されている。この支持部３０の先端には上方に係止片３１ａが形成されて軒樋４（図５を参照）の屋外側耳部４３を支持する屋外側耳支持部３１となされ、一方、屋内側の基端部下面には取付部２０の受部２１と対向して板バネ３２が斜め上方に一体に突設されている。取付部２０の受部２１の先端と、支持部３０の板バネ３２の先端との間隔は、軒樋４０の屋内側耳部４４の幅よりも狭く形成され、受部２１と板バネ３２にて軒樋４０の屋内側耳部４４を支持する屋内側耳支持部３３を構成している。なお、上記支持部３０の両端部を除いた部分は下方に窪んで凹部３４を形成している。
【００１５】
上記固定具１を使用して軒樋吊具２を被固定面である鼻隠し板５に取り付ける方法について図２〜図４に基づいて説明する。
【００１６】
まず、固定具１の上下方向のほぼ中央部の嵌挿溝１０を除いた両側部１１に設けられた２個の通孔１２を利用して、複数の固定具１を所定間隔を置いて鼻隠し板５の上方位置に固着具である釘６にて取り付けて固定する。つぎに、この固定した複数の固定具１の嵌挿溝１０内に、軒樋吊具２の取付部２０をそれぞれ上方から差し込んで嵌挿する。取付部２０の下方通孔２３と、この通孔２３に対応した位置に設けられた固定具１の通孔１５との位置合わせを行い、少し長めの釘７にて取付部２０を固定具１とともに鼻隠し板５に固定する。
【００１７】
つぎに上記固定具１および軒樋吊具２を使用して軒樋４を鼻隠し板５に取り付ける方法について図５に基づいて説明する。
【００１８】
まず軒樋４について説明する。図４に示すように、軒樋４は平坦な底部４０の両側に曲面状の前側壁４１と、ほぼ垂直状の後側壁４２とが立設され、この両側壁４１、４２の上端にそれぞれ前側（屋外側）耳部４３と後側（屋内側）耳部４４が設けられているものである。図に示すように、前側壁４１のほうが後側壁４２よりも高くされており、また、前側耳部４３および後側耳部４４は両側壁の上端より外方に突出して設けられている。前側耳部４３の形状は樋内側に開口した断面略Ｃ字状の溝４３ａを有しており、一方、後側耳部４４の形状は縦長の中空状のものである。
【００１９】
そして、軒樋４の前側耳部４３を溝４３ａを利用して屋外側耳支持部３１に係止させ、この係止部を中心として、軒樋４を反時計回りに回動させることにより、後側耳部４４を屋内側耳支持部３３内に下方より押し込んで受部２１に係止させる。このようにして、軒先に軒樋４を設置することができる。
【００２０】
上記実施例においては、現在使用している軒樋吊具の取付部に合わせて、固定具の嵌挿溝の形状を決めれば、建物の形態や鼻隠し板の上下方向の幅の大小に応じて、二通りの使用ができる。
【００２１】
以上、本発明の実施例を図面により詳述してきたが、具体的な構成は上記の実施例に限定されず、本発明の要旨を逸脱しない範囲の設計変更などがあっても本発明に含まれる。
【００２２】
たとえば、上記実施例では、固定具の材質を合成樹脂製のものとしたが、ステンレスなどの金属製のものとしてもよい。また、たとえば軒樋吊具が透明な合成樹脂製のものである場合、固定具も同様に透明な合成樹脂製のものとするのが好ましい。このようにすれば、固定具や取付部が目立たず、軒樋の美観も損なわれることがない。
【００２３】
上記実施例では、軒樋吊具の材質を合成樹脂製のものとしたが、ステンレスなどの金属製のものとしてもよい。
【００２４】
また、上記実施例では、軒樋支持具の一例として軒樋吊具を示したが、軒樋吊具に代えて軒樋受具としてもよい。
【００２５】
さらに、上記実施例における軒樋吊具は取付部と軒樋支持部とが同一材料で一体に形成されたものであるが、たとえば取付部をステンレス製のものとし、軒樋支持部を合成樹脂製のものとしてもよい。その際、軒樋支持部を取付部に対して前後方向に摺動可能とすることにより、軒先での出寸法の調整を行える。
【００２６】
【発明の効果】
本発明の軒樋支持具用固定具においては、固定具の上下方向のほぼ中央部の嵌挿溝を除いた両側部に設けられた釘穴を利用して、釘やビスなどの固着具にて固定することができるので、従来の軒樋支持具の取付部を直接たとえば鼻隠し板に固着具にて固定する場合に比べ、被固定面の上方位置に固定することができる。
【００２７】
また、固定具は少なくとも上方に開口し、しかも、その内面形状が取付部の外面形状に符合した形状とされた嵌挿溝を有しているので、被固定面に固定した固定具の前記嵌挿溝内に、軒樋支持具の取付部を上方から差し込んで嵌挿するか、あるいは、取付部を嵌挿溝内に差し込んで被固定面に固定する方法などが考えられ、それらの後に、取付部の下方釘穴に対応して、中央部の釘穴よりも下方に設けられた釘穴を利用して、取付部を固定具とともに建物の被固定面に固定することができ、作業性にすぐれている。
【図面の簡単な説明】
【図１】本発明の軒樋吊具用固定具の一実施例を示すものであり、（ａ）は正面図、（ｂ）は平面図、（ｃ）は右側面図である。
【図２】軒樋吊具を図１の固定具に差し込む状態を示す説明図である。
【図３】図２のＸ−Ｘ線における拡大断面図である。
【図４】鼻隠し板に図１の固定具と軒樋吊具を取り付けた状態を示す説明図である。
【図５】図４において軒樋の支持状態を示す説明図である。
【符号の説明】
１            固定具
１０          嵌挿溝
１１          両側部
１２、１５    通孔
１３、１４    係止片
２            軒樋吊具
２０          取付部
２１          受部
２２、２３    通孔
３０          支持部
３１          屋外側耳支持部
３２          板バネ
３３          屋内側耳支持部
４            軒樋
４３          屋外側耳部
４４          屋内側耳部
５            鼻隠し板（被固定面）
【図１】
0003730717.tif 000002
【図２】
0003730717.tif 000003
【図３】
0003730717.tif 000004
【図４】
0003730717.tif 000005
【図５】
0003730717.tif 000006